(57)【要約】【課題】簡単な構成によって、ベルヌーイ効果を作用させる主安定化部材と補助安定化部材とにより、記録／再生位置におけるディスク面ぶれを効果的に低減させる。【解決手段】光ディスク１の面内を光ピックアップ４が走査するために移動する動線Ｒと近接し、かつ光ディスク１の中心付近を通る直線Ｚに対応して主安定化部材５が移動可能に設け、かつ前記直線Ｚを起点として、略４５度間隔で８つの領域（Ａ，Ｂ，Ｃ，Ｄ，Ｅ，Ｆ，Ｇ，Ｈ）に分けて、前記起点から略４５度〜略９０度の領域Ｂ内、および前記起点から略９０度〜略１３５度の領域Ｃ内における光ディスク１が可撓性を呈する部位に、それぞれ補助安定化部材６を主安定化部材５とは独立して配設し、領域Ｂと領域Ｃにそれぞれ、補助安定化部材６による空気力学的な力の作用点Ｄを少なくとも１つ存在させる。【選択図】図１
2005018957.tif 000002
【特許請求の範囲】
【請求項１】
可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備えた記録／再生装置において、
前記記録ディスクの面内を、前記記録／再生手段が走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記直線Ｚに対応する位置に前記主安定化部材を配設し、かつ前記起点から略４５度〜略９０度の領域Ｂ内、および前記起点から略９０度〜略１３５度の領域Ｃ内における前記記録ディスクが可撓性を呈する部位に、それぞれ補助安定化部材による空気力学的な力の作用点を少なくとも１つ存在させたことを特徴とする記録／再生装置。
【請求項２】
可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備えた記録／再生装置において、
前記記録ディスクの面内を、前記記録／再生手段が走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記直線Ｚに対応する位置に前記主安定化部材を配設し、かつ前記起点から略２２５度〜略２７０度の領域Ｆ内、および前記起点から略２７０度〜略３１５度の領域Ｇ内における前記記録ディスクが可撓性を呈する部位に、それぞれ補助安定化部材による空気力学的な力の作用点を少なくとも１つ存在させたことを特徴とする記録／再生装置。
【請求項３】
可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備えた記録／再生装置において、
前記記録ディスクの面内を、前記記録／再生手段が走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記直線Ｚに対応する位置に前記主安定化部材を配設し、かつ前記起点から略４５度〜略９０度の領域Ｂ内、および前記起点から略９０度〜略１３５度の領域Ｃ内、および前記起点から略２２５度〜略２７０度の領域Ｆ内、および前記起点から略２７０度〜略３１５度の領域Ｇ内における前記記録ディスクが可撓性を呈する部位に、それぞれ補助安定化部材による空気力学的な力の作用点を少なくとも１つ存在させたことを特徴とする記録／再生装置。
【請求項４】
前記領域Ｂに存在する前記補助安定化部材による空気力学的な力の作用点を、前記起点から略４５度の領域Ａと当該領域Ｂとの境界近傍に配置したことを特徴とする請求項１または３記載の記録／再生装置。
【請求項５】
前記領域Ｇに存在する前記補助安定化部材による空気力学的な力の作用点を、略３１５度から前記起点までの領域Ｈと当該領域Ｇとの境界近傍に配置したことを特徴とする請求項２または３記載の記録／再生装置。
【請求項６】
前記領域Ｂに存在する前記補助安定化部材による空気力学的な力の作用点を、前記起点から略４５度の領域Ａと当該領域Ｂとの境界近傍に配置し、かつ前記領域Ｇに存在する前記補助安定化部材による空気力学的な力の作用点を、略３１５度から前記起点までの領域Ｈと当該領域Ｇとの境界近傍に配置したことを特徴とする請求項３記載の記録／再生装置。
【請求項７】
前記領域Ｂ内における前記補助安定化部材による空気力学的な力の作用点と、前記領域Ｇ内における前記補助安定化部材による空気力学的な力の作用点とを、前記直線Ｚを挟んで対象位置に配置したことを特徴とする請求項３記載の記録／再生装置。
【請求項８】
前記領域Ｃ内における前記補助安定化部材による空気力学的な力の作用点と、前記領域Ｆ内における前記補助安定化部材による空気力学的な力の作用点とを、前記直線Ｚを挟んで対象位置に配置したことを特徴とする請求項３記載の記録／再生装置。
【請求項９】
前記領域Ｂ内における前記補助安定化部材による空気力学的な力の作用点と、前記領域Ｃ内における前記補助安定化部材による空気力学的な力の作用点とを結んだ直線が、前記直線Ｚと平行になるように前記作用点を配置したことを特徴とする請求項１または３記載の記録／再生装置。
【請求項１０】
前記領域Ｆ内における前記補助安定化部材による空気力学的な力の作用点と、前記領域Ｇ内における前記補助安定化部材による空気力学的な力の作用点とを結んだ直線が、前記直線Ｚと平行になるように前記作用点を配置したことを特徴とする請求項２または３記載の記録／再生装置。
【請求項１１】
前記領域Ｂ内における前記補助安定化部材による空気力学的な力の作用点と、前記領域Ｃ内における前記補助安定化部材による空気力学的な力の作用点とを結んだ直線、および前記領域Ｆ内における前記補助安定化部材による空気力学的な力の作用点と、前記領域Ｇ内における前記補助安定化部材による空気力学的な力の作用点とを結んだ直線が、それぞれ前記直線Ｚと平行になるように前記作用点を配置したことを特徴とする請求項３記載の記録／再生装置。
【請求項１２】
前記記録ディスクの面上の実記録／再生領域内における前記記録／再生手段のディスク半径方向の動線の近似線を、前記直線Ｚとしたことを特徴とする請求項１〜３いずれか１項記載の記録／再生装置。
【請求項１３】
前記補助安定化部材を装置本体の筺体に設置したことを特徴とする請求項１〜１１いずれか１項記載の記録／再生装置。
【請求項１４】
前記補助安定化部材と前記記録ディスクの回転中心部分を保持する保持部材との相対位置を固定したことを特徴とする請求項１３記載の記録／再生装置。
【請求項１５】
請求項１〜１１，１３，１４のいずれか１項に記載の補助安定化部材以外に補助安定化部材を設置し、請求項１〜１１，１３，１４のいずれか１項記載のように設定された補助安定化部材が前記記録ディスクから受ける対向力が、主安定化部材以外の前記記録ディスク面上の領域に配設された全ての補助安定化部材の中で最大となるようにしたことを特徴とする記録／再生装置。
【請求項１６】
可撓性を有する記録ディスクが収納され、該記録ディスクの回転時、ベルヌーイ効果を利用して少なくとも記録／再生位置付近における前記記録ディスクの面ぶれを抑制する主安定化部材が作用する構成のディスクカートリッジにおいて、
前記記録ディスクの面内を、前記記録／再生手段が走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記動線に対応する位置に前記主安定化部材を配設し、かつ前記起点から略４５度〜略９０度の領域Ｂ内および前記起点から略９０度〜略１３５度の領域Ｃ内と、前記起点から略２２５度〜略２７０度の領域Ｆ内および前記起点から略２７０度〜略３１５度の領域Ｇ内との、少なくとも一方側における前記記録ディスクが可撓性を呈する部位に、それぞれ補助安定化部材による空気力学的な力の作用点を少なくとも１つ配設したことを特徴とするディスクカートリッジ。
【請求項１７】
前記補助安定化部材を内壁に設けたことを特徴とする請求項１６記載のディスクカートリッジ。
【請求項１８】
前記補助安定化部材の位置を調整可能にしたことを特徴とする請求項１６または１７記載のディスクカートリッジ。
【発明の詳細な説明】
【技術分野】
【０００１】
本発明は、可撓性を有する記録ディスクに対して記録および／または再生処理を行う記録／再生装置、およびその記録ディスクを収納するディスクカートリッジに関するものである。
【背景技術】
【０００２】
近年、テレビ放送のデジタル化が始まるなど、大容量のデジタルデータを記録することが情報記録媒体に求められている。例えば、光ディスクの分野においては、記録／再生のために光ディスクに集光される光スポット径を小さくすることが、高密度化のための基本的な方法の一つに挙げられる（以下、光ディスクを代表として説明するが、本発明が対象とする記録／再生装置に用いられる記録ディスクは、相変化メモリ，光磁気メモリ，ホログラムメモリなどのディスク状の記録ディスクで活用するものすべてを対象にし、特に光ディスクに限定するものではない）。
【０００３】
このため、光ディスクの高密度化においては、記録／再生のために用いられる光の波長を短く、かつ対物レンズの開口数ＮＡを大きくすることが有効である。光の波長についてはＣＤ（ｃｏｍｐａｃｔ  ｄｉｓｋ）では近赤外光の７８０ｎｍ、ＤＶＤ（ｄｉｇｉｔａｌ  ｖｅｒｓａｔｉｌｅ  ｄｉｓｋ）では赤色光の６５０ｎｍ近傍の波長が用いられている。最近、青紫光の半導体レーザが開発され、今後は４００ｎｍ近傍のレーザ光が使用されると予想される。
【０００４】
また、対物レンズについては、ＣＤ用はＮＡ０．５未満であったが、ＤＶＤ用はＮＡ０．６程度である。今後、さらに開口数（ＮＡ）を大きくしてＮＡ０．７以上とすることが求められる。しかし、対物レンズのＮＡを大きくすること、および光の波長を短くすることは、光を絞るときに収差の影響が大きくなることでもある。したがって、光ディスクのチルトに対するマージンが減ることになる。また、ＮＡを大きくすることによって焦点深度が小さくなるため、フォーカスサーボ精度を上げなくてはならない。
【０００５】
さらに、高ＮＡの対物レンズを使用することによって、対物レンズと光ディスクの記録面との距離が小さくなってしまうため、光ディスクの面ぶれを小さくしておかないと、始動時のフォーカスサーボを引き込む直前、対物レンズと光ディスクとが衝突することがあり、ピックアップの故障の原因となる。
【０００６】
短波長，高ＮＡの大容量光ディスクとして、例えば非特許文献１に記載されているように、ＣＤと同程度に厚く、かつ剛性の大きい基板に記録膜を成膜し、記録／再生用の光を基板を通さずに、薄いカバー層内を通して記録膜に対して記録／再生する構成のシステムが提案されている。
【０００７】
また、特許文献１〜５あるいは非特許文献２には、ベルヌーイの法則による空気力学的作用力を利用して光ディスクにおける面ぶれを安定化させるため、安定化部材に対向させて可撓性を有する光ディスクを回転させる構成の記録／再生装置、あるいは可撓性を有する光ディスクの構成などについての記載がある。
【特許文献１】特開平７−１０５６５７号公報
【特許文献２】特開平１０−３０８０５９号公報
【特許文献３】米国特許出願公開第２００２／０１８６６３６号明細書
【特許文献４】特開２００２−２６９８５５号公報
【特許文献５】特開２００２−３５８７５９号公報
【非特許文献１】オー・プラス・イー（Ｏ  ＰＬＵＳ  Ｅ）第２０巻，第２号，Ｐ．１８３ページ
【非特許文献２】「オプティカル・リードアウト・オブ・ビデオディスク」  アイイーイーイー・トランザクション・オン・コンシューマー・エレクトロニクス（“ＯＰＴＩＣＡＬ  ＲＥＡＤＯＵＴ  ＯＦ  ＶＩＤＥＯＤＩＳＣ”，ＩＥＥＥ  ＴＲＡＮＳＡＣＴＩＯＮ  ＯＮ  ＣＯＮＳＵＭＥＲ  ＥＬＥＣＴＲＯＮＩＣＳ），１９７６年１１月、Ｐ．３０４−３０８
【発明の開示】
【発明が解決しようとする課題】
【０００８】
しかしながら、前記従来の技術において、光ディスクの基板を剛体で形成すると、回転する光ディスクにおける面ぶれ,チルトを小さくするためには、きわめて正確な成形をし、かつ熱変形が生じないように低温で記録膜を成膜しなければならない。このことは、光ディスク製造に係るタクトタイムを長くすることになり、コストを上げる原因となる。
【０００９】
また、特許文献１〜５に記載されている構成の中で、可撓性を有する光ディスクを安定板上で回転させる方法では、光ディスクと安定化板が接して摺動する危険性が高く、ディスク面あるいは安定化板面が傷ついてしまうという問題がある。この摺動により、発塵を引き起こして、その塵埃などがエラーを発生させる原因となる。
【００１０】
特に特許文献１に記載されているように、安定化板側に記録膜が存在する構成であると、摺動により光ディスクの記録膜を損傷して、直接エラーを引き起こすことになる。また、単に平面状の安定化板を用いただけでは、ディスク面ぶれの低減効果にも限界があり、高ＮＡの対物レンズを使用する際に、対物レンズとディスクが衝突する危険性は未だ問題として残されたままである。
【００１１】
安定化板を用いる方法の一つとして、非特許文献２に記載されているような方法もある。この構成においては、U-shaped stabilizerなる２つの安定化部材から構成される部材により形成した狭いギャップに、フレシキブルディスクを挟んで回転させることにより、飛躍的に小さなディスク面ぶれに抑えることを実現できるものの、非特許文献２にも記載されているように、フレキシブルディスクと安定化部材の間のギャップが片側２５μｍと小さいため、安定化部材とディスク間にゴミなどを巻き込んで、記録膜を損傷し、直接エラーを引き起こす危険性がある。特に、この構成においては、安定化部材がディスクの表裏で必ず近接するため、情報記録部をディスクの表裏のいずれに形成した場合にも、この問題は避けることができない。
【００１２】
これらの問題を解決するための１つの手段として、本件出願人は、特許文献３などにおいて、光ディスクとの対向面が円弧状をなす円柱状の安定化ガイド部材を用い、光ディスクにおける安定化ガイド部材による空気圧の作用による面ぶれが安定する部位におけるディスク回転方向上流側と下流側とに空気圧の作用を生じさせない領域(安定化ガイド部材がない空間部)を設けて、面ぶれを安定化させた部位の前後位置に光ディスクに「逃げ」となる部分を存在させ、面ぶれを安定化させた部位での光ディスクにおける反発力を小さくすることにより、空気力による安定化力の効果を増大させる発明を提案した。
【００１３】
特許文献３の発明によれば、可撓性光ディスクの面ぶれを確実に抑制し、高密度の記録を可能にし、また対物レンズとの摺接などの不具合の発生を防ぐことが可能となるが、反面、実際上において、安定化ガイド部材と記録再生ヘッドとの複雑な位置調整制御が必要となるため、ドライブ制御系の負荷が大きくなるばかりでなく、装置コストがかなり高価なものになってしまう。
【００１４】
本発明の目的は、前記課題を解決し、簡単な構成によって、ベルヌーイ効果を作用させる主安定化部材と補助安定化部材とにより、記録／再生位置におけるディスク面ぶれを効果的に低減することができる記録／再生装置およびディスクカートリッジを提供することにある。
【課題を解決するための手段】
【００１５】
前記目的を達成するため、請求項１に記載の発明は、可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備えた記録／再生装置において、前記記録ディスクの面内を、前記記録／再生手段が走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記直線Ｚに対応する位置に前記主安定化部材を配設し、かつ前記起点から略４５度〜略９０度の領域Ｂ内、および前記起点から略９０度〜略１３５度の領域Ｃ内における前記記録ディスクが可撓性を呈する部位に、それぞれ補助安定化部材による空気力学的な力の作用点を少なくとも１つ存在させたことを特徴とし、この構成によって、主安定化部材を一つだけ用いた場合に比べて、主安定化部材の押し込み量が浅い位置において十分な面ぶれ低減効果が得られ、これにより、主安定化部材および記録／再生手段におけるディスク半径方向の動線をディスク基準面に近い範囲に限定することができるため、動作機構の簡略化を図ることができる。また、この構成によって、記録／再生位置において、主安定化部材を記録ディスクの片面のみに作用させるだけで面ぶれを効率的に抑制することができ、特に記録ディスクの両面でディスクを挟み込むなどの構造が必要なくなるため、記録層を主安定化部材の作用面とは逆側に形成する構成にすれば、主安定化部材と記録ディスクとの衝突により記録情報が欠落してエラーが増大するなどの不具合を避けることができる。
【００１６】
請求項２に記載の発明は、可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備えた記録／再生装置において、前記記録ディスクの面内を、前記記録／再生手段が走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記直線Ｚに対応する位置に前記主安定化部材を配設し、かつ前記起点から略２２５度〜略２７０度の領域Ｆ内、および前記起点から略２７０度〜略３１５度の領域Ｇ内における前記記録ディスクが可撓性を呈する部位に、それぞれ補助安定化部材による空気力学的な力の作用点を少なくとも１つ存在させたことを特徴とし、この構成によって、主安定化部材を一つだけ用いた場合に比べて、主安定化部材の押し込み量が浅い位置において十分な面ぶれ低減効果が得られ、これにより、主安定化部材および記録／再生手段におけるディスク半径方向の動線をディスク基準面に近い範囲に限定することができるため、動作機構の簡略化を図ることができる。また、この構成によって、記録／再生位置において、主安定化部材を記録ディスクの片面のみに作用させるだけで面ぶれを効率的に抑制することができ、特に記録ディスクの両面でディスクを挟み込むなどの構造が必要なくなるため、記録層を主安定化部材の作用面とは逆側に形成する構成にすれば、主安定化部材と記録ディスクとの衝突により記録情報が欠落してエラーが増大するなどの不具合を避けることができる。
【００１７】
請求項３に記載の発明は、可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備えた記録／再生装置において、前記記録ディスクの面内を、前記記録／再生手段が走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記直線Ｚに対応する位置に前記主安定化部材を配設し、かつ前記起点から略４５度〜略９０度の領域Ｂ内、および前記起点から略９０度〜略１３５度の領域Ｃ内、および前記起点から略２２５度〜略２７０度の領域Ｆ内、および前記起点から略２７０度〜略３１５度の領域Ｇ内における前記記録ディスクが可撓性を呈する部位に、それぞれ補助安定化部材による空気力学的な力の作用点を少なくとも１つ存在させたことを特徴とし、この構成によって、この構成によって、主安定化部材のみを用いる場合に比べて、記録再生位置での面ぶれ抑制効果を増大させることができ、より面ぶれを低減した理想的な状態で記録再生を行うことができるようになる。この補助安定化部材によれば、ディスクの静的な反り形状などには関わらず、いかなる仕様のディスクにおいても、記録／再生位置におけるディスク面ぶれを確実に低減できる。また、さらには補助安定化部材の作用により、主安定化部材をディスク面に対して大きく押し込まなくても、記録／再生位置の面ぶれを効果的に低減することが可能となり、記録／再生手段の走査動線をディスク基準面上の任意の半径位置上とすることができ、これにより、主安定化部材と記録／再生手段との位置制御に何ら複雑な調整機構が必要なくなり、装置構成を極めて簡略化することができる。また、この構成によって、記録／再生位置において、主安定化部材を記録ディスクの片面のみに作用させるだけで面ぶれを効率的に抑制することができ、特に記録ディスクの両面でディスクを挟み込むなどの構造が必要なくなるため、記録層を主安定化部材の作用面とは逆側に形成する構成にすれば、主安定化部材と記録ディスクとの衝突により記録情報が欠落してエラーが増大するなどの不具合を避けることができる。
【００１８】
請求項４に記載の発明は、請求項１または３記載の記録／再生装置において、領域Ｂに存在する補助安定化部材による空気力学的な力の作用点を、起点から４５度の領域Ａと当該領域Ｂとの境界近傍に配置したことを特徴とし、この構成によって、補助安定化部材により、記録ディスクの直線Ｚ方向のディスク形状をディスク基準面近傍で直線化できると共に、補助安定化部材を主安定化部材に近づけることにより、飛躍的にディスク面ぶれを低減することができる。
【００１９】
請求項５に記載の発明は、請求項２または３記載の記録／再生装置において、領域Ｇに存在する補助安定化部材による空気力学的な力の作用点を、略３１５度から起点までの領域Ｈと当該領域Ｇとの境界近傍に配置したことを特徴とし、この構成によって、補助安定化部材により、記録ディスクの直線Ｚ方向のディスク形状をディスク基準面近傍で直線化できると共に、補助安定化部材を主安定化部材に近づけることにより、飛躍的にディスク面ぶれを低減することができる。
【００２０】
請求項６に記載の発明は、請求項３記載の記録／再生装置において、領域Ｂに存在する補助安定化部材による空気力学的な力の作用点を、起点から略４５度の領域Ａと当該領域Ｂとの境界近傍に配置し、かつ領域Ｇに存在する補助安定化部材による空気力学的な力の作用点を、略３１５度から起点までの領域Ｈと当該領域Ｇとの境界近傍に配置したことを特徴とし、この構成によって、補助安定化部材により、記録ディスクの直線Ｚ方向のディスク形状をディスク基準面近傍で直線化することができると共に、補助安定化部材を主安定化部材に近づけることにより、飛躍的にディスク面ぶれを低減することができる。
【００２１】
請求項７に記載の発明は、請求項３記載の記録／再生装置において、領域Ｂ内における補助安定化部材による空気力学的な力の作用点と、領域Ｇ内における補助安定化部材による空気力学的な力の作用点とを、直線Ｚを挟んで対象位置に配置したことを特徴とし、この構成によって、補助安定化部材をディスク面に作用させた際の直線Ｚ方向におけるディスク形状の直線性を高めることができると共に、主安定化部材に対する記録ディスクの対向力を効率的に発生させることが可能となる。これにより、主安定化部材により直線Ｚ近傍のディスク面ぶれを容易かつ効果的に低減することができる。
【００２２】
請求項８に記載の発明は、請求項３記載の記録／再生装置において、領域Ｃ内における補助安定化部材による空気力学的な力の作用点と、領域Ｆ内における補助安定化部材による空気力学的な力の作用点とを、直線Ｚを挟んで対象位置に配置したことを特徴とし、この構成によって、補助安定化部材をディスク面に作用させた際の直線Ｚ方向におけるディスク形状の直線性を高めることができると共に、主安定化部材に対する記録ディスクの対向力を効率的に発生させることが可能となる。これにより、主安定化部材により直線Ｚ近傍のディスク面ぶれを容易かつ効果的に低減することができる。
【００２３】
請求項９に記載の発明は、請求項１または３記載の記録／再生装置において、領域Ｂ内における補助安定化部材による空気力学的な力の作用点と、領域Ｃ内における補助安定化部材による空気力学的な力の作用点とを結んだ直線が、直線Ｚと平行になるように前記作用点を配置したことを特徴とし、この構成によって、補助安定化部材をディスク面に作用させた際の、直線Ｚ方向のディスク形状の直線性をより高めることが可能となる。
【００２４】
請求項１０に記載の発明は、請求項２または３記載の記録／再生装置において、領域Ｆ内における補助安定化部材による空気力学的な力の作用点と、領域Ｇ内における補助安定化部材による空気力学的な力の作用点とを結んだ直線が、直線Ｚと平行になるように作用点を配置したことを特徴とし、この構成によって、補助安定化部材をディスク面に作用させた際の、直線Ｚ方向のディスク形状の直線性をより高めることが可能となる。
【００２５】
請求項１１に記載の発明は、請求項３記載の記録／再生装置において、領域Ｂ内における補助安定化部材による空気力学的な力の作用点と、領域Ｃ内における補助安定化部材による空気力学的な力の作用点とを結んだ直線、および領域Ｆ内における補助安定化部材による空気力学的な力の作用点と、領域Ｇ内における補助安定化部材による空気力学的な力の作用点とを結んだ直線が、それぞれ直線Ｚと平行になるように作用点を配置したことを特徴とし、この構成によって、補助安定化部材をディスク面に作用させた際の、直線Ｚ方向のディスク形状の直線性をより高めることが可能となる。
【００２６】
請求項１２に記載の発明は、請求項１〜３いずれか１項記載の記録／再生装置において、記録ディスクの面上の実記録／再生領域内における記録／再生手段のディスク半径方向の動線の近似線を、直線Ｚとしたことを特徴とし、この構成によって、記録／再生手段が軸を中心に会同するスイングアーム構造のものでも、動線の近似化によって、各請求項に係る発明を適用することが可能になる。
【００２７】
請求項１３に記載の発明は、請求項１〜１１いずれか１項記載の記録／再生装置において、補助安定化部材を装置本体の筺体に設置したことを特徴とする。
【００２８】
請求項１４に記載の発明は、請求項１３記載の記録／再生装置において、補助安定化部材と記録ディスクの回転中心部分を保持する保持部材との相対位置を固定したことを特徴とし、この構成によって、記録／再生手段の走査に関わらず、補助安定化部材の記録ディスクに対する作用位置を一定にすることができる。
【００２９】
請求項１５に記載の発明は、請求項１〜１１，１３，１４のいずれか１項に記載の補助安定化部材以外に補助安定化部材を設置し、請求項１〜１１，１３，１４のいずれか１項記載のように設定された補助安定化部材が前記記録ディスクから受ける対向力が、主安定化部材以外の前記記録ディスク面上の領域に配設された全ての補助安定化部材の中で最大となるようにしたことを特徴とし、この構成によって、補助安定化部材をディスク面に多数散在させた場合においても、前記各請求項の作用効果を確保することができる。
【００３０】
請求項１６に記載の発明は、可撓性を有する記録ディスクが収納され、該記録ディスクの回転時、ベルヌーイ効果を利用して少なくとも記録／再生位置付近における前記記録ディスクの面ぶれを抑制する主安定化部材が作用する構成のディスクカートリッジにおいて、前記記録ディスクの面内を、前記記録／再生手段が走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記動線に対応する位置に前記主安定化部材を配設し、かつ前記起点から略４５度〜略９０度の領域Ｂ内および前記起点から略９０度〜略１３５度の領域Ｃ内と、前記起点から略２２５度〜略２７０度の領域Ｆ内および前記起点から略２７０度〜略３１５度の領域Ｇ内との、少なくとも一方側における前記記録ディスクが可撓性を呈する部位に、それぞれ補助安定化部材による空気力学的な力の作用点を少なくとも１つ配設したことを特徴とし、この構成によって、ディスクカートリッジに補助安定化部材を個別に設けることにより、前記各請求項に係る発明の作用効果を、記録／再生装置側の構成を簡略化して得ることが可能になる。
【００３１】
請求項１７に記載の発明は、請求項１６記載のディスクカートリッジにおいて、補助安定化部材を内壁に設けたことを特徴とし、ディスクカートリッジごとに補助安定化部材を個別に設定することができることから、様々なディスク仕様ごとに補助安定部材を個々に設計することが容易になって、ディスク仕様のばらつきによる安定化条件のずれを補正することが容易になる。
【００３２】
請求項１８に記載の発明は、請求項１６または１７記載のディスクカートリッジにおいて、補助安定化部材の位置を調整可能にしたことを特徴とし、この構成によって、ディスク仕様に応じて、補助安定化部材を適正位置に配置することが可能となる。
【発明の効果】
【００３３】
以上説明したように、本発明に係る記録／再生装置およびディスクカートリッジによれば、記録ディスクの面内を、記録／再生手段が走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記動線に対応する位置に主安定化部材を配設し、かつ前記起点から略４５度〜略９０度の領域Ｂ内および前記起点から略９０度〜略１３５度の領域Ｃ内と、前記起点から略２２５度〜略２７０度の領域Ｆ内および前記起点から略２７０度〜略３１５度の領域Ｇ内との、少なくとも一方側における前記記録ディスクが可撓性を呈する部位に、それぞれ補助安定化部材による空気力学的な力の作用点を少なくとも１つ配設したことにより、主安定化部材を一つだけ用いた場合に比べて、主安定化部材の押し込み量が浅い位置において十分な面ぶれ低減効果が得られ、これにより、主安定化部材および記録／再生手段におけるディスク半径方向の動線をディスク基準面に近い範囲に限定することができるため、動作機構の簡略化を図ることができ、可撓性を有する記録ディスクを用いる記録／再生装置の提供を実現することができた。
【発明を実施するための最良の形態】
【００３４】
以下、本発明の実施の形態を図面を参照して説明する。
【００３５】
図１は本発明の記録／再生装置の実施形態１を説明するための要部の平面図、図２は図１の実施形態１の正面図であり、１は可撓性を有する記録ディスクである光ディスク、２は光ディスク１の回転中心（中央）部分に装着された光ディスク１を回転させるために保持する一方の保持部材であるハブ、３は他方の保持部材であるチャッキング部をハブ２に嵌合して光ディスク１を回転駆動するスピンドルモータ、４は、光ディスク１の半径方向に移動して光ディスク１に対して光ビームを集光させ、情報の記録／再生処理を行うため光ディスク１に対して光走査（動線Ｒ方向）を行う記録／再生手段である光ピックアップである。
【００３６】
さらに、５は、光ピックアップ４と共に光ディスク１の半径方向に移動し、ベルヌーイの法則による空気力学的作用力を利用して、光ディスク１における少なくとも光ピックアップ４による記録／再生位置付近の光ディスクの面ぶれを抑制する主安定化部材、６は、同様に光ディスク１に対して空気力学的作用力を作用させる補助安定化部材であって、主安定化部材５と補助安定化部材６とは、光ディスク１の記録面に対して反対側のディスク基板側に、後述するように配設されている。
【００３７】
また、実施形態１では、光ディスク１の面内を光ピックアップ４が走査するために移動する動線Ｒと近接し、かつ光ディスク１の中心付近を通る直線（図では動線Ｒ上に記載したが、動線Ｒ近傍にあるものも含む）Ｚに対応して主安定化部材５が移動可能に設けられ、かつ前記直線Ｚを起点として、略４５度間隔で８つの領域（Ａ，Ｂ，Ｃ，Ｄ，Ｅ，Ｆ，Ｇ，Ｈ）に分けて、前記起点から略４５度〜略９０度の領域Ｂ内、および前記起点から略９０度〜略１３５度の領域Ｃ内における光ディスク１が可撓性を呈する部位に、それぞれ補助安定化部材６を主安定化部材５とは独立して配設しており、領域Ｂと領域Ｃにそれぞれ、補助安定化部材６による空気力学的な力の作用点Ｄを少なくとも１つ存在させるようにしている（実施形態１では１つずつのものを示す）。
【００３８】
図３は本発明の記録／再生装置の実施形態２を説明するための要部の平面図、図４は図３の実施形態２の正面図である。なお、以下の説明において、既に説明した部材に対応する部材には同一符号を付して詳しい説明は省略する。
【００３９】
実施形態２が実施形態１と異なる点は、実施形態１にて説明したのと同様に分けた領域（Ａ，Ｂ，Ｃ，Ｄ，Ｅ，Ｆ，Ｇ，Ｈ）のうち、前記起点から略２２５度〜略２７０度の領域Ｆ内、および前記起点から略２７０度〜略３１５度の領域Ｇ内における光ディスク１が可撓性を呈する部位に、それぞれ補助安定化部材６を主安定化部材５とは独立して配設しており、領域Ｆと領域Ｇにそれぞれ、補助安定化部材６による空気力学的な力の作用点Ｄを少なくとも１つ存在させるようにしている（実施形態２では１つずつのものを示す）。
【００４０】
図５は本発明の記録／再生装置の実施形態３を説明するための要部の平面図、図６は図５の実施形態３の正面図であって、実施形態３が実施形態１，２と異なる点は、実施形態１にて説明したのと同様に分けた領域（Ａ，Ｂ，Ｃ，Ｄ，Ｅ，Ｆ，Ｇ，Ｈ）のうち、領域Ｂ，Ｃ，Ｆ，Ｇ内における光ディスク１が可撓性を呈する部位に、それぞれ主安定化部材５と独立して少なくとも１つずつ補助安定化部材６を直線Ｚを挟んだ対称位置に配設した構成である（実施形態３では各領域に１つ）。
【００４１】
図７は本発明の記録／再生装置の実施形態４を説明するための要部の平面図、図８は図７の実施形態４の正面図である。実施形態４が実施形態３と異なる点は、実施形態３とは逆の光ディスク１の下側に、主安定化部材５と補助安定化部材６を配し、上側に光ピックアップ４を配した構成であって、実施形態１にて説明したのと同様に分けた領域（Ａ，Ｂ，Ｃ，Ｄ，Ｅ，Ｆ，Ｇ，Ｈ）のうち、領域Ｂ，Ｃ，Ｆ，Ｇ内における光ディスク１が可撓性を呈する部位に、それぞれ主安定化部材５と独立して少なくとも１つずつ補助安定化部材６を直線Ｚを挟んだ対称位置に配設した構成（実施形態３では各領域に１つ）は同じであって、実施形態４は、光ディスク１を補助安定化部材６に引きつけるように作用させる構成にしており、光ディスク１に補助安定化部材６を押しつけた状態で作用させる実施形態３とは、作用力の与え方において異なる。
【００４２】
ところで、前記各実施形態における基本構成である安定化部材と可撓性を有する光ディスクとの間にベルヌーイの法則による空気力学的な力を発生させて、光ディスクにおけるディスク面ぶれを抑制するためには、安定化部材と光ディスク間の釣り合い条件が重要であり、特に光ディスクの安定化部材に向かう反力が重要なパラメータとなる。この反力は光ディスクの剛性と、光ディスクが回転して平坦化しようとすることによって発生する浮上力によって決定されるため、原理的には、前記釣り合い条件は安定化部材の半径位置、ディスク回転数、およびディスク仕様によって左右される、このため、複雑な安定化部材の調整駆動機構が必要となる。
【００４３】
そこで、この点に関して各種実験を行い考察したところ、任意の安定化部材によりディスク面に空気力学的な力を作用させた際には、該安定化部材の上下流のおよそ±９０度付近のディスク面が、該ディスクを理想平面と考えた場合のディスク基準面付近に近づき直線状になろうとする現象を示した。
【００４４】
この現象において、ディスク面上に直線状の領域を形成するための必要条件に関して、鋭意検討したところ、力を作用させる点と直線状になる領域には一定の関係があることを見出した。
【００４５】
その結果として、本実施形態のように、ディスク面上を既述したようにＡ〜Ｈの８領域に分割し、補助安定化部材を作用させる領域を任意の組み合わせで指定することにより、主安定部材位置、すなわち光ピックアップ４の動線（走査動線）Ｒ上の光ディスク１の形状を直線状にすることを実現することができたのである。
【００４６】
力学的には、光ディスク１の中心を支点として力を作用させた場合のディスク形状変形の問題として捉えられ、結果として、直線Ｚ上のディスク形状を直線化するための力の作用点としては、本実施形態における領域Ｂ，Ｃ、あるいはＦ，Ｇ、あるいはその全ての組み合わせに限られる。この力学的な変形現象は静止状態のみならず、光ディスクを回転させて安定化部材を作用させた場合にも成り立つという結論を得た。
【００４７】
前記各実施形態について具体的に説明する。
【００４８】
図１，図２に示す実施形態１では、補助安定化部材６の作用により、主安定化部材５を１つだけ用いた場合に比べて、主安定化部材５の光ディスク１に対する押し込み量が浅い位置において十分な面ぶれ低減効果が得られた。これにより、主安定化部材５および光ピックアップ４におけるディスク半径方向の動線Ｒを、面ぶれが抑制されたディスク基準面に近い範囲に限定して位置させることができ、調整機構に余裕を持たせることが可能になって、調整機構の簡略化を図ることができた。
【００４９】
図３，図４に示す実施形態２の構成もまた、実施形態１と同様に、補助安定化部材６の作用により、主安定化部材５を１つだけ用いた場合に比べて、主安定化部材５の光ディスク１に対する押し込み量が浅い位置においても十分な面ぶれ低減効果が得られた。これにより、主安定化部材５および光ピックアップ４におけるディスク半径方向の動線Ｒを、面ぶれが抑制されたディスク基準面に近い範囲に限定して位置させることができ、調整機構の簡略化を図ることができた。
【００５０】
図５，図６に示す実施形態３の構成では、補助安定化部材６の作用により、実施形態１，２の構成に比べて、主安定化部材５の光ディスク１に対する押し込み量がより浅い位置において十分な面ぶれ低減効果が得られた。特に、実施形態３の構成においては、主安定化部材５の押し込み量をゼロ近傍、すなわち主安定化部材５のディスク回転方向位置をディスク基準面近傍に固定して、主安定化部材５をディスク基準面に沿って走査した場合にも、実用上十分な面ぶれ低減効果が半径方向全域に渡って得られることが大きな特徴である。
【００５１】
これにより、主安定化部材５のディスク回転軸方向の位置制御などによる面ぶれ調整は不要となり、主安定化部材５および光ピックアップ４に係る駆動制御機構を極めて簡略化することができた。
【００５２】
実施形態１〜４において、主安定化部材５にディスク回転軸方向の位置制御機構、あるいはチルト制御系などを付加して、より高精度の微調整を行うことにより、記録／再生位置における面ぶれを最適化することができることはいうまでもない。このように高精度の微調整を行う機構などを設ける場合であっても、本実施形態の補助安定化部材６により、記録／再生位置における面ぶれの最適調整を行うための調整機構系の調整量を小さくすることができる。
【００５３】
また、本補助安定化部材６によれば、光ディスク１の静的な反り形状などに関わらず、いかなる仕様の記録ディスクにおいても、記録／再生位置におけるディスク面ぶれを確実に低減することができ、さらには、補助安定化部材６によって基本的な面ぶれ低減効果を増大させることができ、極めて小さいディスク面ぶれに抑制することが可能になる。
【００５４】
実施形態１においては、図９に示すように、領域Ｂに存在する補助安定化部材６による空気力学的な力の作用点Ｄを、領域Ａと領域Ｂとの境界線近傍に配置する構成にすることが面ぶれ防止に有効であった。
【００５５】
また、実施形態２においては、図１０に示すように、領域Ｇに存在する補助安定化部材６による空気力学的な力の作用点Ｄを、領域Ｇと領域Ｈとの境界線近傍に配置する構成にすることが同様に有効であった。
【００５６】
また、実施形態３においては、図９と図１０に示す両構成を採用し、領域Ｂに存在する補助安定化部材６による空気力学的な力の作用点Ｄを領域Ａ，Ｂの境界線近傍に配置し、かつ領域Ｇに存在する補助安定化部材６による空気力学的な力の作用点を領域Ｇ，Ｈの境界線近傍に配置する構成にすることが有効であった。
【００５７】
図９，図１０に示すように境界線近傍に作用点Ｄを配置する構成にすることにより、補助安定化部材６によって、光ディスク１の前記直線Ｚ方向のディスク形状をディスク基準面近傍で直線化することができる効果に加えて、補助安定化部材６を主安定化部材５に近づけることにより、飛躍的にディスク面ぶれを低減することができるようになった。
【００５８】
また、実施形態３においては、補助安定化部材６による領域Ｂ内の作用点Ｄと領域Ｇ内の作用点Ｄとを、直線Ｚを挟んで対象な位置に配置し、さらに補助安定化部材６による領域Ｃ内の作用点Ｄと領域Ｆ内の作用点Ｄとを、直線Ｚを挟んで対象な位置に配置することがより有効であった。
【００５９】
前記のように作用点Ｄを直線Ｚを挟んで対象な位置に配置する構成にすることにより、補助安定化部材６をディスク面に作用させた際の、直線Ｚ方向のディスク形状の直線性を高めると共に、主安定化部材５に対する光ディスク１の対向力を効率的に発生させることが可能となった。これにより、主安定化部材５により直線Ｚ近傍のディスク面ぶれを容易かつ効果的に低減できるようになった。
【００６０】
また、実施形態１，３においては、補助安定化部材６による領域Ｂ内の作用点Ｄと領域Ｃ内の作用点Ｄとを結んだ直線が直線Ｚと平行となるように、各作用点Ｄを配置する構成が有効であり、さらに、実施形態２，３においては、補助安定化部材６による領域Ｆ内の作用点Ｄと領域Ｇ内の作用点Ｄとを結んだ直線が直線Ｚと平行となるように、各作用点Ｄを配置する構成が有効であった。
【００６１】
特に実施形態３においては、補助安定化部材６による領域Ｂ内の作用点Ｄと領域Ｃ内の作用点Ｄとを結んだ直線が直線Ｚと平行となり、かつ領域Ｆ内の作用点Ｄと領域Ｇ内の作用点Ｄとを結んだ直線が直線Ｚと平行となるように、各作用点Ｄを配置する構成が有効であった。
【００６２】
前記のように各作用点Ｄを結んだ直線が直線Ｚと平行となるように構成することにより、補助安定化部材６をディスク面に作用させた際の直線Ｚ方向におけるディスク形状の直線性をより高めることが可能となった。
【００６３】
前記各実施形態においては、光ピックアップ４がディスク半径方向に直線的に移動する構成例にて説明したが、図１１に示す本発明の実施形態５のように、ディスク面上の実記録／再生領域内の光ピックアップ４におけるディスク半径方向の動線Ｒ´が、例えば図示したような円弧軌跡であっても、その近似線を直線（ディスク中心を通る曲線（Ｒ´）に近接した線）とすることにより、光ピックアップ４がアームの一端部に固定されてディスク半径方向を回動するスイングアーム方式においても、前記各実施形態の構成を適用することができる。
【００６４】
前記各実施形態は、前記補助安定化部材６を、図１２に例示するように、装置本体の筐体１０に設けることにより、光ディスクを収納するディスクカートリッジを用いないか、あるいはディスクカートリッジから光ディスクを取り出して駆動する記録／再生装置において実施することができる。
【００６５】
このような構成にして、補助安定化部材６とスピンドルモータ３との相対位置を固定することにより、光ピックアップ４の走査に関わらず、補助安定化部材６の光ディスク１に対する作用点の位置を一定にすることができる。
【００６６】
また、前記各実施形態における補助安定化部材６は、図１３に示すように、ディスクカートリッジ１１の内壁に設けることも可能であり、このように構成することにより、記録／再生装置側の構成を簡略化することができる。さらに、この構成においては、ディスクカートリッジ１１に補助安定化部材６を個別に設定することができることから、様々なディスク仕様ごとに補助安定部材６を個々に設計可能となり、ディスク仕様のばらつきによる安定化条件のずれを補正することまでもが可能となる。
【００６７】
ディスクカートリッジ１１としては、例えば図１４，図１５に示す構成のものを例示することができる。図１４，図１５において、１２は前記主安定化部材５が挿入され、ディスク半径方向に移動可能にするための第１の通孔部、１３は光ピックアップ４およびスピンドルモータ３の一部が挿入され、かつ前記光ピックアップ４をディスク半径方向に移動可能にするための第２の通孔部である。なお、通孔部１２，１３を開閉するためのシャッタ、あるいはカートリッジ内で光ディスク１を固定するための機構、さらにカートリッジをスピンドルモータ３に設置する際に必要なその他の機構などに関しては図示していない。
【００６８】
本実施形態において、図１６に示す本発明の実施形態６のように、ディスク面に対向して補助安定化部材６を多数散在させる場合、実施形態１〜３にて説明した配置構成の補助安定化部材６における光ディスク１から受ける対向力が、主安定化部材５以外のディスク面に対向して配置された補助安定化部材６（既述した補助安定化部材６以外の補助安定化部材には符号６´を付けた）の中で最大となるようにすることにより、直線Ｚ方向のディスク形状を直線状にする効果、および主安定化部材５によるディスク面ぶれ低減効果を確保することができた。
【００６９】
前記実施形態においては、補助安定化部材６を主安定化部材５と同じ側に配置する構成例を説明したが、補助安定化部材６を主安定化部材５と光ディスク１を挟んで逆側に配置しても同様のディスク面ぶれ低減効果が得られる。
【００７０】
また、補助安定化部材を光ディスクへ作用させる方法としては、大別して実施形態１〜３のように、光ディスク面に押し込む方向の作用のさせる方法と、実施形態４のように、光ディスク面を引っぱる作用のさせる方法との２通りあるが、いずれの方法によっても同様の効果を得ることができる。
【００７１】
以下、本発明を実施例および比較例に基づいてより具体的に説明する。
【００７２】
（実施例１）
実施例１において、図１，図２に示す構成を採用し、補助安定化部材６は、光ディスク（直径１２０ｍｍ）１に対向する面を曲率半径２００ｍｍとした直径３０ｍｍの円柱状の形状とし、また主安定化部材５は、光ディスク１に対向する面を曲率半径１００ｍｍとした直径１０ｍｍの円柱状の形状とした。各補助安定化部材６は、主安定化部材５よりもディスク回転方向下流側の略６０度および略１２０度の位置にそれぞれ設置し、ディスク対向面の中心がディスクの半径４５ｍｍの位置となるように配置した。この補助安定部材６の配置により、補助安定化部材６の空気力学的な力の作用点Ｄは前記領域Ｂ，Ｃ内に配置された。
【００７３】
なお、これら作用点Ｄの位置は、全ての補助安定化部材６のディスク面への押し込み量をディスク基準面を基準として４ｍｍとした場合を前提としている。図示していないが、主安定化部材５にはディスク半径方向の移動機構とディスク回転軸方向の位置制御機構を具備させた。
【００７４】
また実施例１では、ディスク基板として直径１２０ｍｍ，厚さ７５μｍのポリカーボネイト製シートを用いた。ディスクを準備するにあたっては、まず、前記シートに、熱転写でスタンパのピッチ０．６μｍ、幅０．３μｍのグルーブを転写し、その後、スパッタリングでシート／Ａｇ反射層  １２０ｎｍ／（ＺｒＯ2−Ｙ2Ｏ3）−ＳｉＯ2  ７ｎｍ／ＡｇＩｎＳｂＴｅＧｅ  １０ｎｍ／ＺｎＳ−ＳｉＯ2  ２５ｎｍ／Ｓｉ3Ｎ4  １０ｎｍの順番に成膜した。情報記録領域は内周直径４０ｍｍから外周直径１１８ｍｍまで（半径２０ｍｍ〜５８ｍｍ）の範囲に設定した。その後、ＵＶ樹脂をスピンコートし、紫外線照射で硬化させて厚さ５μｍの透明保護膜を形成した。また、逆側の面には１０μｍ厚のハードコートを施した。なお、このディスク中心部には外形直径３０ｍｍ，内径直径１５ｍｍ、厚み０．３ｍｍのハブ２を取り付けた。このディスクの仕上がり状態はハードコート側に僅かに反った形状となった。
【００７５】
前記光ディスク１を、５ｍ／ｓｅｃ，１５ｍ／ｓｅｃ，３０ｍ／ｓｅｃの３水準のディスク回転数で回転させ、光ピックアップ４の位置にレーザ変位計を配置してディスク面ぶれを評価した。なお、ディスク面ぶれは基本的にディスク内周から外周にかけて増大する傾向を持つことから、ディスク面ぶれの評価位置は、面ぶれの低減が困難な外周部の半径５５ｍｍの位置とした。この際、全ての補助安定化部材６のディスク面への押し込み量は、ディスク基準面を基準として０．５ｍｍとした。なお、ここでのディスク基準面とは、ディスクが理想的に平坦であると仮定した場合の主安定化部材５側のディスク面のことである。
【００７６】
このディスク面ぶれの評価結果に基づいて、半径５５ｍｍの位置のディスク面ぶれを１０μｍ以下にするための主安定化部材５のディスク面への押し込み量（ディスク回転軸方向の位置調整量）を求めた。なお、ディスク面ぶれを低減するために必要な押し込み量は、ディスク内周から外周にかけて大きくなる傾向を持つことから、外周部で必要な押し込み量が、主安定化部材５をディスク半径方向に移動させた場合の最大調整量となる。すなわち、この値が小さいほど、主安定化部材５における半径方向の動線をディスク基準面に近づけた状態でディスク面ぶれを低減できることになる。この関係に基づき、実施例１の評価においては、ディスク外周部で必要な主安定化部材５の押し込み量を、主安定化部材５におけるディスク半径方向の動線を如何にディスク基準面に近づけられるか、という評価の基準として用いる。
【００７７】
（実施例２）
実施例２として、実施例１の構成をベースに補助安定化部材６の位置を変えた構成のものを用いた。実施例２において、図３，図４に示す構成を採用しており、補助安定化部材６は、主安定化部材５よりもディスク回転方向上流側の略６０度および略１２０度の位置で、ディスク対向面の中心がディスクの半径４５ｍｍの位置となるように配置した。この補助安定部材６の配置により、補助安定化部材６の空気力学的な力の作用点Ｄは前記領域Ｆ，Ｇ内に配置された。なお、これら作用点Ｄの位置は、全ての補助安定化部材６のディスク面への押し込み量をディスク基準面を基準として４ｍｍとした場合を前提としている。
【００７８】
また、実施例２として用いる光ディスク１としては、実施例１の仕様からハードコートを省いた構成とした。これによりディスクの仕上がり状態は透明保護膜側に僅かに反った形状となった。
【００７９】
評価条件と評価項目などは実施例１と同様とした。
【００８０】
（実施例３）
実施例３において、図５，図６に示す構成を採用しており、補助安定化部材６は、光ディスク１に対向する面を曲率半径２００ｍｍとした直径３０ｍｍの円柱状の形状とし、また主安定化部材５は、光ディスク１に対向する面を曲率半径１００ｍｍとした直径１０ｍｍの円柱状の形状とした。補助安定化部材６は、主安定化部材５よりもディスク回転方向上下流側の略６０度および略１２０度の位置で、ディスク対向面の中心がディスクの半径４５ｍｍの位置となるように配置した。この補助安定部材６の配置により、補助安定化部材６の空気力学的な力の作用点Ｄは前記領域Ｂ，Ｃ，Ｆ，Ｇ内に配置された。
【００８１】
図示していないが、主安定化部材５にはディスク半径方向の移動機構とディスク回転軸方向の位置制御機構を具備させた。また、全ての補助安定化部材６のディスク面への押し込み量は、ディスク基準面を基準として３ｍｍとした。
【００８２】
光ディスク１は実施例１と同様のものを用い、評価条件，評価項目なども実施例１と同様とした。
【００８３】
（実施例４）
実施例４において、図１１に示す構成を採用しており、補助安定化部材６の形状と配置構成は実施例３と同様とした。主安定化部材５の形状についても実施例３と同様とした。実施例４においては、光ピックアップにスイングアーム式の可動機構を具備させた場合を仮定した。図では省略してあるが、主安定化部材５にはディスク半径方向の移動機構とディスク回転軸方向の位置制御機構を具備させた。この主安定化部材５における半径方向の移動動線は、最小２乗法により算出したディスク中心を通る光ピックアップ動線の近似直線上とした。
【００８４】
光ディスク１は実施例１と同様のものを用い、評価条件，評価項目なども実施例１と同様とした。
【００８５】
（実施例５）
実施例５において、図５，図６に示す基本構成に補助安定化部材６を図９と図１０とに示す両配置構造を採用した。補助安定化部材６は、光ディスク１に対向する面を曲率半径２００ｍｍとした直径３０ｍｍの円柱状の形状とし、主安定化部材５は、光ディスク１に対向する面を曲率半径１００ｍｍとした直径１０ｍｍの円柱状の形状とした。
【００８６】
各補助安定化部材６は、図９，図１０に示すように、主安定化部材５よりもディスク回転方向上下流側の略１２０度の位置で、かつディスク対向面の中心が光ディスク１の半径４５ｍｍの位置となるようにした位置に１つずつと、主安定化部材５よりもディスク回転方向上下流側の略５０度の位置で、かつディスク対向面の中心が光ディスク１の半径５５ｍｍの位置となるようにした位置に１つずつ配置した。この補助安定部材６の配置により、補助安定化部材６の空気力学的な力の作用点Ｄは前記領域Ｂ，Ｃ，Ｆ，Ｇ内に配置され、領域Ｂにおける作用点Ｄが領域Ａと領域Ｂとの境界線近傍に配置され、領域Ｇにおける作用点Ｄが領域Ｆと領域Ｇとの境界線近傍に配置された。なお、各作用点Ｄの位置は、全ての補助安定化部材６のディスク面への押し込み量を、ディスク基準面を基準として３ｍｍとした場合を前提としている。
【００８７】
また、光ディスク１は実施例１と同様のものを用い、評価条件，評価項目なども実施例１と同様とした。
【００８８】
（実施例６）
実施例６では、図７，図８に示す構成を採用しており、補助安定化部材６は、光ディスク１に対向する面を曲率半径５００ｍｍとした直径４０ｍｍの円柱状の形状とした。主安定化部材５は、光ディスク１に対向する面を曲率半径１００ｍｍとした直径１０ｍｍの円柱状の形状とした。
【００８９】
補助安定化部材６は、主安定化部材５よりもディスク回転方向上下流側の略６０度および略１２０度の位置で、ディスク対向面の中心がディスクの半径４０ｍｍの位置となるように配置した。また、全ての補助安定化部材６のディスク回転軸方向位置はディスク基準面から０．５ｍｍ離れた位置に設定した。この補助安定部材６の配置により、補助安定化部材６の空気力学的な力の作用点Ｄは前記領域Ｂ，Ｃ，Ｆ，Ｇ内に配置された。
【００９０】
図示しないが、主安定化部材５にはディスク半径方向の移動機構とディスク回転軸方向の位置制御機構を具備させた。
【００９１】
また、光ディスク１は実施例１と同様のものを用い、評価条件および評価項目なども実施例１と同様とした。
【００９２】
（比較例）
本比較例は、図１７，図１８に示すように、主安定化部材５を１つのみ用いた構成である。主安定化部材５は、光ディスク１に対向する面を曲率半径１００ｍｍとした直径１０ｍｍの円柱状の形状とした。なお、前記実施例にて既に説明された部材については同一符号を付して説明を省略するが、主安定化部材５にはディスク半径方向の移動機構とディスク回転軸方向の位置制御機構を具備させた。
【００９３】
光ディスク１は実施例１と同様のものを用い、評価条件および評価項目なども実施例１と同様とした。
【００９４】
各実施例と比較例とにおいて、半径５５ｍｍ位置のディスク面ぶれを１０μｍ以下とするために必要な主安定化部材５の押し込み量は、図１９に示すようになった。図１９に示す結果のように、各実施例においては、ディスク面ぶれを低減するための主安定化部材５の押し込み量を飛躍的に低減することができた。比較例では、必要な押し込み量が２．０〜２．６ｍｍであるのに対して、各実施例においては最大でも０．１５ｍｍであり、その効果は絶大であった。特に、実施例３〜６においては、主安定化部材５を押し込まずとも、１０μｍを下回る良好なディスク面ぶれが得られており、より理想的な状態とすることができた。
【００９５】
さらに、線速を変えた場合に、比較例においては、前記押し込み量が大きく振られているのに対して、実施例１，２においては僅かな変化に留まり、また実施例３〜６においては全く変化しなかった。なお、実施例３〜６においては、この影響がディスク面ぶれ量に表れたが、その変化量は微少であった。
【００９６】
一方、各実施例と比較例において、主安定化部材５にチルト制御機構を具備させ、主安定化部材５の押し込み量とチルト角を最適調整した場合の半径５５ｍｍの位置での線速１５ｍ／ｓｅｃにおけるディスク面ぶれの評価結果を図２０に示した。各実施例には、主安定化部材５のディスク半径方向の走査動線をディスク基準面に近づけた状態でディスク面ぶれを低減することができるという効果の他に、主安定化部材５による面ぶれ低減効果を増大させる効果があり、図２０はこれを実証する結果である。
【００９７】
前記のような特定ディスクにおいての結果ではあるが、比較例において最適調整を行った場合には、５μｍまでのディスク面ぶれ低減が限界であったものが、各実施例では少なくとも４μｍ以下まで低減させることができている。
【００９８】
一方、実施例３の構成を代表として、実施例１で示したディスク仕様のうち、ハードコート膜厚を０〜２０μｍ間で変化させることにより、ディスクの反りの状態を主安定化部材５側に対して凸から凹形状に変化するようにしてディスク仕様を変化させたサンプルを準備した。また実施例１のディスク仕様を基準として、ディスク部材となるポリカーボネイトの膜厚を５０〜１２０μｍ間で変化させたサンプルを準備した。これら様々なディスク仕様の変化にも関わらず、実施例３の補助安定化部材６と主安定化部材５を具備させた構成により、いずれのディスク仕様においても同様の結果が得られた。なお、評価線速範囲と評価半径位置は前記評価と同様とした。
【００９９】
また、補助安定化部材６のディスク回転軸方向の位置は、各ディスクの反りの状態に応じて適宜調整した。この補助安定化部材６の適正な条件調整はディスク仕様ごとに異なったが、図１３〜図１５に示すように、補助安定化部材６をディスクカートリッジ１１の内壁に設けるようにし、収納するディスク仕様ごとにディスクカートリッジ１１の内壁の補助安定化部材６の配置条件を調整することにより、記録／再生装置側においてディスク仕様を意識せずとも所望の条件でディスク面ぶれが低減することになる。
【０１００】
例えば、前記配置条件の調整に関しては、ディスクカートリッジ１１において補助安定化部材６の位置を調整して配設することを可能な構造としておくことにより、容易に対応することができた。あるいはディスクカートリッジの生産にあたっては、カートリッジ成形用金型における補助安定化部材成形部位をディスク仕様に応じて移動できるようにしておくことにより、金型代のコストを増大させることなく、様々なディスク仕様に対応したディスクカートリッジを製作することができる。
【０１０１】
上述したように本実施形態，本実施例では、可撓性を有する光ディスクに対してベルヌーイ効果を作用させる安定化部材の簡易的な制御により、光ディスクの記録／再生位置におけるディスク面ぶれを低減させることができ、さらに、この制御に伴う記録／再生ヘッドである光ピックアップの記録／再生位置への位置調整を容易に行うことが可能な記録／再生装置を提供することができる。
【産業上の利用可能性】
【０１０２】
本発明は、可撓性を有する記録ディスクに対して記録および／または再生処理を行う記録／再生装置、およびその記録ディスクを収納するディスクカートリッジに適用され、本発明が対象とする記録ディスクは、相変化メモリ，光磁気メモリ，ホログラムメモリなどのディスク状の記録ディスクで活用するものすべてを対象とする。
【図面の簡単な説明】
【０１０３】
【図１】本発明の記録／再生装置の実施形態１を説明するための要部の平面図
【図２】図１の実施形態１の正面図
【図３】本発明の記録／再生装置の実施形態２を説明するための要部の平面図
【図４】図３の実施形態２の正面図
【図５】本発明の記録／再生装置の実施形態３を説明するための要部の平面図
【図６】図５の実施形態３の正面図
【図７】本発明の記録／再生装置の実施形態４を説明するための要部の平面図
【図８】図７の実施形態４の正面図
【図９】実施形態１，３の変形例を説明するための要部の平面図
【図１０】実施形態２，３の変形例を説明するための要部の平面図
【図１１】本発明の記録／再生装置の実施形態５を説明するための要部の平面図
【図１２】本実施形態の記録／再生装置における補助安定化部材の設置例を示す断面図
【図１３】本発明の実施形態であるディスクカートリッジを説明するための断面図
【図１４】本実施形態のディスクカートリッジの平面図
【図１５】図１４のディスクカートリッジの横断面図
【図１６】実施形態３において補助安定化部材の設置数を増加した実施形態６の構成例を示す平面図
【図１７】本発明の実施例との比較例における構成を説明するための平面図
【図１８】図１７の比較例の正面図
【図１９】本発明の実施例と比較例とにおける特性評価の一覧を示す図
【図２０】本発明の実施例と比較例とにおいてチルト制御機構を具備させたときの特性評価を示す図
【符号の説明】
【０１０４】
１  光ディスク
２  ハブ
３  スピンドルモータ
４  光ピックアップ
５  主安定化部材
Ｒ，Ｒ´  動線
Ｚ  直線
【図１】
2005018957.tif 000003
【図２】
2005018957.tif 000004
【図３】
2005018957.tif 000005
【図４】
2005018957.tif 000006
【図５】
2005018957.tif 000007
【図６】
2005018957.tif 000008
【図７】
2005018957.tif 000009
【図８】
2005018957.tif 000010
【図９】
2005018957.tif 000011
【図１０】
2005018957.tif 000012
【図１１】
2005018957.tif 000013
【図１２】
2005018957.tif 000014
【図１３】
2005018957.tif 000015
【図１４】
2005018957.tif 000016
【図１５】
2005018957.tif 000017
【図１６】
2005018957.tif 000018
【図１７】
2005018957.tif 000019
【図１８】
2005018957.tif 000020
【図１９】
2005018957.tif 000021
【図２０】
2005018957.tif 000022